(57)【要約】    【課題】      装置規模を増大させずに効率よくダイバーシチ受信を行うこと。    【解決手段】  制御部１０４は、同時接続しているセルの合計がＨＳＤＰＡサービングセルを含みＮセルに達している場合は、スイッチ１０３をバッファ１０２−１と逆拡散部１０５とを接続したまま維持し、逆に、同時接続しているセルの合計がＨＳＤＰＡサービングセルを含みＮセルに達していない場合は、アンテナ＃１の受信信号に対して行われる、同時接続しているセル分の逆拡散および遅延プロファイルの作成の完了後、スイッチ１０３を切り替えて、バッファ１０２−２と逆拡散部１０５とを接続する。この切り替え制御により、同時接続しているセルの合計がＮに達しておらず空きリソースがある場合だけ、ＨＳＤＰＡサービングセルに対してダイバーシチ受信が行われる。  【選択図】      図１
2005039755.tif 000002
【特許請求の範囲】
【請求項１】
無線信号を受信する第１アンテナおよび第２アンテナと、
前記無線信号を逆拡散して逆拡散結果を得る逆拡散手段と、
前記逆拡散結果に基づいて遅延プロファイルを作成する作成手段と、
前記遅延プロファイルに基づいてパスの検出を行う検出手段と、    
同時接続しているセルの数が同時接続可能数に達している場合は前記第１アンテナで受信された無線信号だけを前記逆拡散手段に入力し、同時接続しているセルの数が同時接続可能数に達していない場合は前記第１アンテナで受信された無線信号および前記第２アンテナで受信された無線信号の双方を前記逆拡散手段に入力する制御手段と、
を具備することを特徴とする無線受信装置。
【請求項２】
前記無線信号はＨＳＤＰＡ信号を含み、
前記作成手段は、同時接続しているセルの数が同時接続可能数に達していない場合は、前記第１アンテナで受信された無線信号に対して同時接続しているセル分の第１遅延プロファイルを作成した後、前記第２アンテナで受信されたＨＳＤＰＡ信号に対して第２遅延プロファイルを作成し、
前記検出手段は、前記第１遅延プロファイルおよび前記第２遅延プロファイルに基づいてパスの検出を行う、
ことを特徴とする請求項１記載の無線受信装置。
【請求項３】
前記第１アンテナで受信された無線信号および前記第２アンテナで受信された無線信号の双方に対し共通のゲイン値により自動利得制御を行う利得制御手段、をさらに具備する、
ことを特徴とする請求項１記載の無線受信装置。
【請求項４】
前記利得制御手段は、前記第１アンテナで受信された無線信号の受信電力および前記第２アンテナで受信された無線信号の受信電力のうち大きい方の受信電力に基づいて前記ゲイン値を求める、
ことを特徴とする請求項３記載の無線受信装置。
【発明の詳細な説明】
【技術分野】
【０００１】
本発明は、ダイバーシチ受信を行う無線受信装置に関する。
【背景技術】
【０００２】
従来、ダイバーシチ受信を行う無線受信装置では、パス検出等の同期処理を行うための処理系統がアンテナに対応させて複数ブランチ分必要となる。例えば、２ブランチのダイバーシチ受信を行うためには、同期処理系統が２つ必要になり、シングルブランチの受信に比べ同期処理のリソースが２倍必要となる（例えば、特許文献１参照）。
【特許文献１】特開２０００−３２４５２８号公報
【発明の開示】
【発明が解決しようとする課題】
【０００３】
同期処理については、３ＧＰＰ  ＴＳ２５.１３３おいて、同時接続可能数が６ＲＬ（Radio Link）に対応しなければならない（すなわち移動局装置は６セル分の信号を同時に受信できなければならない）旨規定されている。このため、上記従来の無線受信装置を単純に３ＧＰＰの規定にあわせて構成すると、２ブランチのダイバーシチ受信を行うためには、合計で１２の同期処理系統が必要となり、装置規模が増大してしまうと共に製造コストが高くなってしまう。
【０００４】
本発明はかかる点に鑑みてなされたものであり、装置規模を増大させずに効率よくダイバーシチ受信を行うことができる無線受信装置を提供することを目的とする。
【課題を解決するための手段】
【０００５】
本発明の無線受信装置は、無線信号を受信する第１アンテナおよび第２アンテナと、前記無線信号を逆拡散して逆拡散結果を得る逆拡散手段と、前記逆拡散結果に基づいて遅延プロファイルを作成する作成手段と、前記遅延プロファイルに基づいてパスの検出を行う検出手段と、同時接続しているセルの数が同時接続可能数に達している場合は前記第１アンテナで受信された無線信号だけを前記逆拡散手段に入力し、同時接続しているセルの数が同時接続可能数に達していない場合は前記第１アンテナで受信された無線信号および前記第２アンテナで受信された無線信号の双方を前記逆拡散手段に入力する制御手段と、を具備する構成を採る。この構成によれば、同時接続数が同時接続可能数に達していない場合にだけダイバーシチ受信が行われるため、装置規模を増大させずに効率よくダイバーシチ受信を行うことができる。
【発明の効果】
【０００６】
本発明によれば、装置規模を増大させずに効率よくダイバーシチ受信を行うことができる。
【発明を実施するための最良の形態】
【０００７】
以下、本発明の実施の形態について、図面を参照して詳細に説明する。
【０００８】
（実施の形態１）
図１は、本発明の実施の形態１に係る無線受信装置の構成を示すブロック図である。図１の無線受信装置は、アンテナ＃１とアンテナ＃２とを使用してダイバーシチ受信を行うものである。この無線受信装置は、例えば移動体通信システムの移動局装置等に搭載されて使用されるものである。
【０００９】
アンテナ＃１で受信された信号は受信処理部１０１−１でダウンコンバート等の所定の無線処理を施された後、バッファ１０２−１に保持される。アンテナ＃２で受信された信号は受信処理部１０１−２でダウンコンバート等の所定の無線処理を施された後、バッファ１０２−２に保持される。ここで、アンテナ＃２、受信処理部１０１−２、およびバッファ１０２−２は、ＨＳＤＰＡ（High Speed Downlink Packet Access）のダイバーシチ受信専用に備えられたものである。図１の無線受信装置を搭載する移動局装置は、現在、ＨＳＤＰＡサービスを提供するセル（ＨＳＤＰＡサービングセル）に位置するものとする。よって、アンテナ＃１で受信される信号にも、アンテナ＃２で受信される信号にも、ＨＳＤＰＡサービングセルの信号（ＨＳＤＰＡ信号）が含まれる。なお、ＨＳＤＰＡ信号としては、ＨＳＤＰＡサービングセルのＨＳ−ＳＣＣＨ（Hi Speed-Shared Control Channel）信号、ＨＳ−ＰＤＳＣＨ（Hi Speed-Physical Downlink Shared Channel）信号、ＣＰＩＣＨ（Common Pilot Channel）信号、ＤＰＣＨ（Dedicated Physical Channel）信号等がある。
【００１０】
スイッチ１０３は、制御部１０４によって切り替え制御され、バッファ１０２−１またはバッファ１０２−２に保持された受信信号を逆拡散部１０５および逆拡散部１０８に入力する。切り替え制御については後述する。逆拡散部１０５は入力された受信信号に対して逆拡散を行って、その逆拡散結果を遅延ＰＦ（プロファイル）作成部１０６に入力する。遅延ＰＦ作成部１０６は、逆拡散結果より遅延プロファイルを作成し、パス検出部１０７に入力する。パス検出部１０７は、遅延プロファイルより所定のしきい値以上のレベルとなるパスを検出し、パス位置を示す信号を逆拡散部１０８に入力する。なお、逆拡散部１０５、遅延ＰＦ作成部１０６およびパス検出部１０７より同期処理部を構成する。
【００１１】
逆拡散部１０８は、受信可能パス数だけ備えられ、入力された受信信号に対してパス検出部１０７で検出されたパス位置のタイミングに合わせて逆拡散を行う。逆拡散後のそれぞれのパスの信号はＲＡＫＥ合成部１０９でＲＡＫＥ合成される。ＲＡＫＥ合成後の信号は復号部１１０で誤り訂正復号され、その結果、受信データが得られる。
【００１２】
図１に示すように本実施の形態では、同期処理部（逆拡散部１０５、遅延ＰＦ作成部１０６およびパス検出部１０７）を１ブランチ分だけ備え、この１ブランチ分の同期処理部で２ブランチ分の同期処理を行う。また、この同期処理部を時分割で動作させることにより、複数セル分の受信信号を処理可能とする。
【００１３】
次いで、制御部１０４が行う切り替え制御について図２および図３を用いて説明する。なお、同時接続可能数をＮセルとして説明する。また、同期処理部は所定の周期（図２、図３では２フレーム）で一連の同期処理を繰り返す。
【００１４】
同時接続しているセルの合計がＨＳＤＰＡサービングセルを含みＮセルに達している場合は、図２に示すように、制御部１０４は、同期処理部のリソースに空きがないと判断し、スイッチ１０３をバッファ１０２−１と逆拡散部１０５とを接続したまま維持する。そして、Ｎセル分の逆拡散および遅延プロファイルの作成が完了した後に、パス検出が行われる。よって、この場合には、アンテナ＃１で受信された信号に対してのみ同期処理が行われるので、ダイバーシチ受信は行われない。つまり、同時接続しているセルの合計がＮに達していて同期処理部に空きリソースがない場合は、ダイバーシチ受信を行わない。
【００１５】
一方、同時接続しているセルの合計がＨＳＤＰＡサービングセルを含みＮセルに達していない場合は、図３に示すように、制御部１０４は、同期処理部のリソースに空きがあると判断し、アンテナ＃１の受信信号に対して行われる、同時接続しているセル分の逆拡散および遅延プロファイルの作成の完了後、スイッチ１０３を切り替えて、バッファ１０２−２と逆拡散部１０５とを接続する。これにより、バッファ１０２−２に保持された受信信号が逆拡散部１０５に入力される。アンテナ＃２、受信処理部１０１−２およびバッファ１０２−２は、ＨＳＤＰＡサービングセルに対して専用に設けられたものであるため、この切り替え制御により、アンテナ＃２で受信された２ブランチ目の受信信号に含まれるＨＳＤＰＡ信号に対して逆拡散および遅延プロファイルの作成が行われる。逆拡散および遅延プロファイルの作成は、ＨＳＤＰＡ信号のうちＣＰＩＣＨ信号やＤＰＣＨ信号に対して行われる。そして、２ブランチ目のＨＳＤＰＡ信号に対する逆拡散および遅延プロファイルの作成が完了した後に、アンテナ＃１の受信信号に対する遅延プロファイルおよびアンテナ＃２のＨＳＤＰＡ信号に対する遅延プロファイルに基づいてパス検出が行われる。つまり、同時接続しているセルの合計がＮに達していない場合は、その空きリソースを利用して、ＨＳＤＰＡサービングセルに対してダイバーシチ受信が行われる。また、ＨＳＤＰＡサービングセルは移動局装置に対して１セルに限られるため、アンテナ＃１およびアンテナ＃２に対する同期処理の合計時間は、図２で示したＮセル分以下になる。
【００１６】
パス検出部１０７でのパス検出は以下のようにして行われる。まず、パス検出部１０７は、遅延ＰＦ作成部１０６がセル毎に作成した遅延プロファイルより所定のしきい値以上のレベルとなるパスをフィンガ割り当て候補のパスとしてセル毎に検出する。そして、検出されたパスのうち、セル毎に所定数のパスをフィンガに割り当てる。この際、遅延プロファイルの値が大きいものから順に所定数までを割り当てる。この所定数はセル毎に異なる値が設定される。例えば、ＨＳＤＰＡサービングセル以外のセルに対しては所定数Ｎを設定し、ＨＳＤＰＡサービングセルに対しては所定数Ｎより大きい所定数Ｎ＿ＨＳを設定する（Ｎ＜Ｎ＿ＨＳ）。さらに、ダイバーシチ受信を行う場合は、ＨＳＤＰＡサービングセルに対して、所定数Ｎ＿ＨＳよりもさらに大きな所定数Ｎ＿ＨＳ＿ｄｉｖを設定する（Ｎ＜Ｎ＿ＨＳ＜Ｎ＿ＨＳ＿ｄｉｖ）。また、ダイバーシチ受信を行う場合は、アンテナ＃１に対する遅延プロファイルとアンテナ＃２に対する遅延プロファイルをまとめて所定数Ｎ＿ＨＳ＿ｄｉｖまでのパスをフィンガに割り当てる。ダイバーシチ受信を行う場合はフィンガ割り当ての候補となる受信品質の良いパスの数がアンテナ数に応じて相対的に増加するため、このようにダイバーシチ受信を行う場合の所定数をダイバーシチ受信を行わない場合の所定数よりも大きく設定することにより、ダイバーシチ受信を有効に利用したフィンガ割り当てを行うことができ、受信特性を改善することができる。
【００１７】
なお、本実施の形態においては、ダイバーシチ受信を行わない場合は、アンテナ＃２に対する受信処理を停止させてもよい。つまり、受信処理部１０１−２およびバッファ１０２−２の動作を停止させてもよい。このようにダイバーシチ受信を行わない場合にアンテナ＃２に対する受信処理を停止することで、消費電力を削減することができる。
【００１８】
このように本実施の形態によれば、同期処理に空きリソースがある場合、すなわち、現在の同時接続数が同時接続可能数に達していない場合にＨＳＤＰＡサービングセルに対してダイバーシチ受信を行うため、同期処理に係るリソースを増加させることなく、ＨＳＤＰＡ信号に対してダイバーシチゲインを得ることができる。また、同期処理の空きリソースを利用してダイバーシチ受信を行うため、空きリソースを有効に利用することができる。つまり、本実施の形態によれば、ＨＳＤＰＡサービングセルに対して、装置規模を増大させずに効率よくダイバーシチ受信を行うことができる。ダイバーシチ受信によってＨＳＤＰＡサービングセルの受信品質を向上できると、移動局装置から基地局装置に送信される下り回線の伝送品質報告値（ＣＱＩ：Channel Quality Indicator）が上がるので、その移動局装置についてデータ伝送のスループットを向上させることができる。
【００１９】
（実施の形態２）
図４は、本発明の実施の形態２に係る無線受信装置の構成を示すブロック図である。なお、図４において、実施の形態１（図１）と同一の構成には同一の符号を付し説明を省略する。
【００２０】
アンテナ＃１で受信された信号は受信処理部１０１−１でダウンコンバート等の所定の無線処理を施された後、バッファ１０２−１に保持されるとともにゲイン制御部１１７に入力される。また、アンテナ＃２で受信された信号は受信処理部１０１−２でダウンコンバート等の所定の無線処理を施された後、バッファ１０２−２に保持されるとともにゲイン制御部１１７に入力される。
【００２１】
ゲイン制御部１１７は、アンテナ＃１で受信された信号の受信電力およびアンテナ＃２で受信された信号の受信電力を測定した後比較し、大きい方の受信電力を選択し、その選択した受信電力に基づいて受信処理部１０１−１および受信処理部１０１−２で行われるＡＧＣ（Automatic Gain Control：自動利得制御）のゲインの値を算出する。そして、求めたゲイン値を受信処理部１０１−１および受信処理部１０１−２の双方に入力する。受信処理部１０１−１および受信処理部１０１−２では、入力された同一のゲイン値に基づいて受信信号の利得を調節する。つまり、大きい方の受信電力に基づいて求めた同一のゲイン値をアンテナ＃１およびアンテナ＃２の双方に対し共通に適用する。
【００２２】
スイッチ１１９は、制御部１１８によって切り替え制御され、バッファ１０２−１に保持された受信信号またはバッファ１０２−２に保持された受信信号のいずれか一方をセルサーチ部１２０に入力する。制御部１１８における切り替え制御はゲイン制御部１１７における選択に従う。つまり、ゲイン制御部１１７は、選択結果、すなわち、選択した大きい方の受信電力をもつ信号が、アンテナ＃１で受信された信号（バッファ１０２−１に保持された受信信号）かアンテナ＃２で受信された信号（バッファ１０２−２に保持された受信信号）のいずれであるかを制御部１１８に知らせる。制御部１１８は、ゲイン制御部１１７より知らされた選択結果に従って、大きい方の受信電力をもつ受信信号を選択してセルサーチ部１２０に入力する。つまり、制御部１１８は、アンテナ＃１で受信された信号の受信電力の方が大きい場合はバッファ１０２−１とセルサーチ部１２０とをスイッチ１１９によって接続し、逆に、アンテナ＃２で受信された信号の受信電力の方が大きい場合はバッファ１０２−２とセルサーチ部１２０とをスイッチ１１９によって接続する。セルサーチ部１２０は、入力された受信信号に基づいてセルサーチを行い、セルサーチ結果を出力する。
【００２３】
このように本実施の形態によれば、ダイバーシチ受信を構成するアンテナ＃１およびアンテナ＃２のＡＧＣを同一のゲイン値に基づいて行って、アンテナ＃１およびアンテナ＃２のＡＧＣを共通に行うため、受信処理部１０１−１および受信処理部１０１−２でのＡＧＣを含む受信処理に後続するパス検出、ＲＡＫＥ合成等において、アンテナ間の受信レベルの差を考慮する必要がなくなる。よって、接続しているセルでダイバーシチ受信が行われるか否かに依らない構成とすることができるため、無線受信装置の装置構成を簡単にすることができる。また、セルサーチにダイバーシチ受信が適用される場合は、セルサーチを上記のようにゲイン制御部１１７における選択結果に従って行うことで、アンテナ数に応じて装置構成を大きくすることなく、ダイバーシチゲインを得ることができる。
【００２４】
なお、セルサーチにダイバーシチ受信が適用されない場合は、アンテナ＃１およびアンテナ＃２それぞれの受信電力に基づいてアンテナ毎に独立にＡＧＣを行うようにする。トラヒックチャネル以外の制御チャネル（例えば報知チャネル）についてダイバーシチ受信が適用されない場合も同様である。
【００２５】
（実施の形態３）
図５は、本発明の実施の形態３に係る無線受信装置の構成を示すブロック図である。なお、図５において、実施の形態１（図１）と同一の構成には同一の符号を付し説明を省略する。
【００２６】
実施の形態１では、同期処理に空きリソースがある場合、すなわち、同時接続しているセルの合計がＨＳＤＰＡサービングセルを含みＮセルに達していない場合にだけ、ＨＳＤＰＡサービングセルに対するダイバーシチ受信が可能であった。これに対し、本実施の形態では、図５に示すように、同期処理部において、同時接続しているＮセルに加えて２ブランチ目のＨＳＤＰＡ信号に対する同期処理を可能にするよう、逆拡散部１０５に追加して逆拡散部１１１を設けた。つまり、Ｎ＋１のリソースを用意した。
【００２７】
これにより、同時接続しているセルの合計がＮに達している場合でも、図６に示すように、ＨＳＤＰＡサービングセルに対するダイバーシチ受信を行うためのリソースをさらに１セル分確保することができる。よって、本実施の形態では、ＨＳＤＰＡサービングセルに対して常にダイバーシチ受信を行うことができる。
【００２８】
（実施の形態４）
図７は、本発明の実施の形態４に係る無線受信装置の構成を示すブロック図である。なお、図７において、実施の形態１（図１）、実施の形態３（図５）と同一の構成には同一の符号を付し説明を省略する。
【００２９】
本実施の形態では、図７に示すように、同期処理部において、同時接続しているＮセルおよびＨＳＤＰＡサービングセルに加えて２ブランチ目の上り回線（ＵＬ：Up Link）サービングセルの信号に対する同期処理を可能にするよう、さらに逆拡散部１１２を追加した。つまり、Ｎ＋２のリソースを用意した。ここで、上り回線サービングセルとは、上り回線にハイブリッドＡＲＱ（Automatic Repeat reQuest）や送信スケジューリング、適応変調といった技術を適用したときに、その上り回線に対するＡＣＫ（ACKnowledgment）やＮＡＣＫ（Negative ACKnowledgment）またはスケジューリング情報を下り回線で送信するセルである。
【００３０】
このように、Ｎ＋２のリソースを用意することにより、同時接続しているセルの合計がＮに達している場合でも、図８に示すように、ＨＳＤＰＡサービングセルに対するダイバーシチ受信を行うためのリソースおよび上り回線サービングセルに対するダイバーシチ受信を行うためのリソースをさらに２セル分確保することができる。よって、本実施の形態では、ＨＳＤＰＡサービングセルおよび上り回線サービングセルに対して常にダイバーシチ受信を行うことができる。ＨＳＤＰＡサービングセルと上り回線サービングセルとは同一でないことがあるため、ＨＳＤＰＡサービングセルに対してだけでなく上り回線サービングセルに対しても常にダイバーシチ受信を行って、上り回線サービングセルからの下り回線信号の受信品質を向上させることは有効である。
【００３１】
（実施の形態５）
図９は、本発明の実施の形態５に係る無線受信装置の構成を示すブロック図である。なお、図９において、実施の形態１（図１）と同一の構成には同一の符号を付し説明を省略する。
【００３２】
ＭＢＭＳ（Multimedia Broadcast/Multicast Service）では移動局装置毎の伝搬路状況に合わせた最適な送信電力制御は行われないため、移動局装置では受信品質が劣悪になる場合があり、ＭＢＭＳを適切に受けられないことがある。そこで、本実施の形態では、図９に示すように、同期処理部において、同時接続しているＮセルに加えて２ブランチ目のＭＢＭＳセルの信号に対する同期処理を可能にするよう、逆拡散部１０５に追加して逆拡散部１１３を設けた。つまり、Ｎ＋１のリソースを用意した。
【００３３】
ここで、ＭＢＭＳとは、１対１（Point to Point:P-to-P）の通信ではなく、１対多（Point to Muiti:P-to-M）の通信を行うサービスである。すなわち、ＭＢＭＳでは、１つの基地局装置が複数の移動局装置に対して同時に同じ情報を送信する。また、ＭＢＭＳには、ブロードキャストモード（Broadcast Mode）とマルチキャストモード（Multicast Mode） とがあり、ブロードキャストモードが現在のラジオ放送のように全移動局に対して情報送信するようなモードであるのに対し、マルチキャストモードはニュースグループ等そのサービスに加入している特定の移動局に対してのみ情報送信するようなモードである。そして、このようなＭＢＭＳを行うセルをＭＢＭＳセルという。
【００３４】
このように、Ｎ＋１のリソースを用意することにより、同時接続しているセルの合計がＮに達している場合でも、図１０に示すように、ＭＢＭＳセルに対するダイバーシチ受信を行うためのリソースをさらに１セル分確保することができる。よって、本実施の形態では、ＭＢＭＳセルに対して常にダイバーシチ受信を行うことができ、ＭＢＭＳの受信品質を良好に保つことができる。
【００３５】
また、本実施の形態では、図９に示すように、ＭＢＭＳセルのＤＰＣＨ信号用の逆拡散部１１４、ＭＢＭＳの情報が送信されるＳＣＣＰＣＨ（Secondary Common Control Physical Channel）信号用の逆拡散部１１５および逆拡散後の信号を保持するバッファ１１６を備えた。逆拡散部１１４および逆拡散部１１５は、パス検出部１０７で検出されたパス位置のタイミングに合わせて逆拡散を行う。これにより、ＭＢＭＳセルのＤＰＣＨ信号およびＳＣＣＰＣＨ信号に対してダイバーシチ受信に対応させた復調を行うことができる。
【００３６】
なお、ＤＰＣＨ信号用の逆拡散部１１４の数とＳＣＣＰＣＨ信号用の逆拡散部１１５の数は同数でなくても構わない。これは、ＤＰＣＨ信号は基本的には同時に通信しているセルすべてから送信されるためＤＰＣＨ信号のパス候補は多数あるのに対し、ＭＢＭＳのＳＣＣＰＣＨ信号は１つもしくは少数のセルからのみ送信されるためＳＣＣＰＣＨ信号のパス候補は少ないことがあるからである。
【００３７】
また、ＤＰＣＨ信号に対する処理負荷等を考慮すると、あえてＤＰＣＨ信号についてはダイバーシチ受信に対応させた復調を行わず、ＳＣＣＰＣＨ信号についてのみダイバーシチ受信に対応させた復調を行うことも可能である。この場合には、ＤＰＣＨ信号のパスは、アンテナ＃１の受信信号から作成された遅延プロファイルだけから検出し、ＳＣＣＰＣＨ信号のパスは、アンテナ＃１の受信信号から作成された遅延プロファイルおよびアンテナ＃２の受信信号から作成された遅延プロファイルの双方から検出する。
【００３８】
なお、上記実施の形態１〜５において、ＨＳＤＰＡサービングセル、上り回線サービングセルおよびＭＢＭＳセルは、上記無線受信装置を搭載した移動局装置のＲＬ（Radio Link）接続状況や移動局装置での受信レベル測定結果に基づいて、ネットワーク上位において決定され移動局装置に通知される。
【００３９】
また、ダイバーシチ受信を行うＲＬの選択方法としては、実施の形態１〜５のようにＨＳＤＰＡサービングセル、上り回線サービングセル、ＭＢＭＳセルを選択するものの他に、受信品質（ＤＰＣＨ信号のＳＩＲ（Signal to Interference Ratio）、ＣＰＩＣＨ信号のＳＩＲ、パス合計電力等）が良好なＲＬから順に選択する、ダイバーシチ受信を行った場合に合成後の受信品質が最も良好になるＲＬから順に選択する等が挙げられる。
【００４０】
また、実施の形態１〜５においては、セルサーチ等に使用される制御チャネルの受信処理について、アンテナ＃１またアンテナ＃２のいずれか一方のアンテナのみを固定的に用いてダイバーシチ受信を行わない構成としてもよい。但し、この場合でもトラヒックチャネルについてはダイバーシチ受信を行う。移動体通信システムにおいては、実施の形態１〜５のような無線受信装置を搭載しダイバーシチ受信を行える移動局装置と、ダイバーシチ受信を行えない移動局装置とが混在している。基地局装置や制御局装置では、各移動局装置がダイバーシチ受信を行えるか否か知り得ないため、制御チャネルをすべての移動局装置に同じ状態で受信させるには、ダイバーシチ受信を行えない移動局装置に合わせた制御を行う必要がある。つまり、移動体通信システムでは、制御チャネルについてはダイバーシチ受信が適用されない。よって、たとえダイバーシチ受信を行える移動局装置でも、制御チャネルについてはダイバーシチ受信を行わないようにする。
【産業上の利用可能性】
【００４１】
本発明は、移動体通信システムの移動局装置等に好適である。
【図面の簡単な説明】
【００４２】
【図１】本発明の実施の形態１に係る無線受信装置の構成を示すブロック図
【図２】本発明の実施の形態１に係る無線受信装置の動作を示す図
【図３】本発明の実施の形態１に係る無線受信装置の動作を示す図
【図４】本発明の実施の形態２に係る無線受信装置の構成を示すブロック図
【図５】本発明の実施の形態３に係る無線受信装置の構成を示すブロック図
【図６】本発明の実施の形態３に係る無線受信装置の動作を示す図
【図７】本発明の実施の形態４に係る無線受信装置の構成を示すブロック図
【図８】本発明の実施の形態４に係る無線受信装置の動作を示す図
【図９】本発明の実施の形態５に係る無線受信装置の構成を示すブロック図
【図１０】本発明の実施の形態５に係る無線受信装置の動作を示す図
【符号の説明】
【００４３】
１０１−１、１０１−２  受信処理部
１０２−１、１０２−２、１１６  バッファ
１０３  スイッチ
１０４  制御部
１０５  逆拡散部
１０６  遅延ＰＦ作成部
１０７  パス検出部
１０８、１１１、１１２、１１３、１１４、１１５  逆拡散部
１０９  ＲＡＫＥ合成部
１１０  復号部
【図１】
2005039755.tif 000003
【図２】
2005039755.tif 000004
【図３】
2005039755.tif 000005
【図４】
2005039755.tif 000006
【図５】
2005039755.tif 000007
【図６】
2005039755.tif 000008
【図７】
2005039755.tif 000009
【図８】
2005039755.tif 000010
【図９】
2005039755.tif 000011
【図１０】
2005039755.tif 000012
【手続補正書】
【提出日】平成16年12月8日(2004.12.8)
【手続補正１】
【補正対象書類名】特許請求の範囲
【補正対象項目名】全文
【補正方法】変更
【補正の内容】
【特許請求の範囲】
【請求項１】
第１アンテナおよび第２アンテナと、
受信信号を逆拡散して得た逆拡散結果に基づいて遅延プロファイルを作成し、その遅延プロファイルに基づいてパスの検出を行う同期処理手段と、
検出されたパスの位置に従って前記受信信号を逆拡散して得られる複数の信号を合成する合成手段と、を具備し、 
前記同期処理手段は、
同時接続しているセルの数が同時接続可能数に達している場合は、前記第１アンテナで受信された第１受信信号を用いて前記セルの分の逆拡散および遅延プロファイルの作成を行う第１処理を行った後に、前記第１受信信号のパスの検出を行い、
同時接続しているセルの数が同時接続可能数に達していない場合は、前記第１処理、および、前記第２アンテナで受信された第２受信信号を用いて逆拡散および遅延プロファイルの作成を行う第２処理を行った後に、前記第１受信信号および前記第２受信信号双方のパスの検出を行う、
ことを特徴とする無線受信装置。
【請求項２】
前記同期処理手段は、同時接続しているセルの数が同時接続可能数に達していない場合は、前記第１処理を行った後に前記第２処理を行う、
ことを特徴とする請求項１記載の無線受信装置。
【請求項３】
前記同期処理手段は、同時接続しているセルの数が同時接続可能数に達していない場合は、前記第２受信信号に含まれるＨＳＤＰＡ信号に対して前記第２処理を行う、
ことを特徴とする請求項１記載の無線受信装置。
【請求項４】
前記同期処理手段は、同時接続しているセルの数が同時接続可能数に達していない場合は、前記第１処理および前記第２処理を、同時接続可能数のセル分の合計処理時間以内に行う、
ことを特徴とする請求項１記載の無線受信装置。
【請求項５】
前記同期処理手段は、同時接続しているセルの数が同時接続可能数に達していない場合は、同時接続しているセルの数が同時接続可能数に達している場合にフィンガに割り当てるパスの数より大きい数のパスをフィンガに割り当てる、
ことを特徴とする請求項１記載の無線受信装置。
【請求項６】
前記第１受信信号および前記第２受信信号双方に対し共通のゲイン値により自動利得制御を行う利得制御手段、をさらに具備する、
ことを特徴とする請求項１記載の無線受信装置。
【請求項７】
前記利得制御手段は、前記第１受信信号の受信電力および前記第２受信信号の受信電力のうち大きい方の受信電力に基づいて前記ゲイン値を求める、
ことを特徴とする請求項６記載の無線受信装置。
【請求項８】
請求項１から７のいずれかに記載の無線受信装置を搭載することを特徴とする移動局装置。
【手続補正２】
【補正対象書類名】明細書
【補正対象項目名】０００５
【補正方法】変更
【補正の内容】
【０００５】
本発明の無線受信装置は、第１アンテナおよび第２アンテナと、受信信号を逆拡散して得た逆拡散結果に基づいて遅延プロファイルを作成し、その遅延プロファイルに基づいてパスの検出を行う同期処理手段と、検出されたパスの位置に従って前記受信信号を逆拡散して得られる複数の信号を合成する合成手段と、を具備し、前記同期処理手段は、同時接続しているセルの数が同時接続可能数に達している場合は、前記第１アンテナで受信された第１受信信号を用いて前記セルの分の逆拡散および遅延プロファイルの作成を行う第１処理を行った後に、前記第１受信信号のパスの検出を行い、同時接続しているセルの数が同時接続可能数に達していない場合は、前記第１処理、および、前記第２アンテナで受信された第２受信信号を用いて逆拡散および遅延プロファイルの作成を行う第２処理を行った後に、前記第１受信信号および前記第２受信信号双方のパスの検出を行う構成を採る。この構成によれば、同時接続数が同時接続可能数に達していない場合にだけダイバーシチ受信が行われるため、装置規模を増大させずに効率よくダイバーシチ受信を行うことができる。